(57)【特許請求の範囲】
【請求項１】
圧縮機と四方弁と室外熱交換器等を備えた室外機と、室内熱交換器とファン等を備えた室内機を冷媒配管で接続して冷凍回路を形成し、少なくとも一つの表示装置と該表示装置の表示をモードごとに切替をするモードスイッチと前記モードにおけるグループ内での表示を切替える切替スイッチを前記室外機に設け、前記表示装置は初期状態では第１テストモードを表示し、前記モードスイッチの押圧時間が第１所定時間の経過で第２テストモードに移行し、前記モードスイッチの押圧時間が第２所定時間の経過で第３テストモードに移行する事を特徴とする空気調和機の制御装置。
【請求項２】
前記第３テストモードは冷凍回路内の各種弁装置を切替、前記冷凍回路の真空引き作業を行うサービスモードであり、該モードにある事を前記表示装置で表示する事を特徴とする請求項１記載の空気調和機の制御装置。
【発明の詳細な説明】
【０００１】
【発明の属する技術分野】
この発明は空気調和機の室外機に備えた表示装置の表示方法と各種テストモードに関するものである。
【０００２】
【従来の技術】
従来より空気調和機の室外機に真空引き作業用スイッチを設けて二方弁や四方弁等の切替を行うものや、多数のスイッチ類や表示装置を設けて各種の表示切替を行うものはあった。
【０００３】
【発明が解決しようとする課題】
しかしながら、室外機に必要な表示の種類それぞれに対応するスイッチを多数設けて使用すれば、空気調和機の据付け作業やアフターサービスの際には便利だが、アフターサービス等を行うことはめったになくこれだけのために多数のスイッチ類を取付ける事は製造コストの上昇をまねきコストの削減が必要なものだった。
【０００４】
【課題を解決するための手段】
この発明はこの点に着目し上記欠点を解決する為、圧縮機と四方弁と室外熱交換器等を備えた室外機と、室内熱交換器とファン等を備えた室内機を冷媒配管で接続して冷凍回路を形成し、少なくとも一つの表示装置と該表示装置の表示をモードごとに切替をするモードスイッチと前記モードにおけるグループ内での表示を切替える切替スイッチを前記室外機に設け、前記表示装置は初期状態では第１テストモードを表示し、前記モードスイッチの押圧時間が第１所定時間の経過で第２テストモードに移行し、前記モードスイッチの押圧時間が第２所定時間の経過で第３テストモードに移行するようにした。
【０００５】
また前記第３テストモードは冷凍回路内の各種弁装置を切替、前記冷凍回路の真空引き作業を行うサービスモードであり、該モードにある事を前記表示装置で表示するようにしたものである。
【０００６】
【発明の実施の形態】
図４のフローチャートにそってテストモードと表示装置４０の表示について説明すれば、何もスイッチ操作を行わない状態では７セグメントの表示装置４０は第１テストモードにあり「０」を表示している、この時標高調整ボリューム４３を回転すれば表示は「０」から「５」まで変化し、数字「１」当たり２００ｍの標高を調整するものである。（Ｓ１）
次にモードスイッチ４１を５秒以上押し続けると（Ｓ２）第１テストモードから第２テストモードであるバーナ関係モード（Ｓ３）に移行し、表示装置４０は「Ｐ」と「４」を１秒間ずつ交互に点灯を繰り返す（以後このような表示形態を「Ｐ４」と表現する）、この時流量調整ボリューム４４を右回りに回転すれば「Ｐ５」「Ｐ６」と数字が「Ｐ９」まで大きくなり、反対に流量調整ボリューム４４を左回りに回転すれば数字は「Ｐ０」まで小さくなり、数字が１変化する毎に電磁ポンプ３４の基準の流量が「Ｐ４」を中心として約１％ずつ増減する。（Ｓ７）
【０００７】
次に切替スイッチ４２を押圧すれば（Ｓ８）表示装置４０はバーナ２９の燃焼状態をフレームロッド３８にて検知した電圧を、「Ｆ０」から「Ｆ５」の範囲で表示する（Ｓ９）、これはマイコンの入力値で０から４．８ミリボルトの間を適宜分割して表示している。
【０００８】
次にもう一度切替スイッチ４２を押圧すれば（Ｓ１０）表示装置４０はバーナ２９に備えた温度センサ３６の温度を、「Ｌ０」から「Ｌ９」の範囲で表示する（Ｓ１１）、これは「Ｌ０」で１２０℃以下「Ｌ９」で３００℃以上を現し、「Ｌ１」から「Ｌ８」で中間の温度を適宜分割している。
【０００９】
次に再度切替スイッチ４２を押圧すればＳ７の電磁ポンプ流量補正に戻り、切替スイッチ４２を押し続ける限りＳ６からＳ１２を繰り返すものである。
このような第２テストモードであるバーナ関係モード（Ｓ３）の表示から今度はモードスイッチ４１を５秒間以上１５秒間未満押し続けた場合には（Ｓ４）、表示装置４０は第１テストモードである標高調整表示（Ｓ１）に戻り、モードスイッチ４１を１５秒間以上押し続けた場合には（Ｓ５）、表示装置４０は第２テストモードから第３テストモードである「ＪＯ」のサービスモード表示に切り替わると共に真空引き作業が可能なように四方弁１３と二方弁１７をＯＮする、真空引き作業は空気調和機の移設や冷凍回路中の漏れ修理及び部品交換等大がかりな修理等の作業後に行われるものなので、誤ったスイッチ操作等でこのサービスモードが真空引き作業中に簡単にキャンセルされ、真空引き作業をもう１度最初から行うような事がないように、一度このサービスモードに入った場合は空気調和機の電源コード５６を抜かない限りこのサービスモードを継続するものである。
【００１０】
このように最小限の表示装置４０とテストモードスイッチ４１と切替スイッチ４２の２個をスイッチの押圧時間の変化によって有効に使用して多くの表示を行うことができ、かつ製造コストも低く抑えることができるものである。
また第３テストモードをサービスモードにして表示することで該サービスモードを視覚でも確認でき便利なものである。
また一度サービスモードに入った後は電源コードの抜き差し以外にサービスモードをキャンセルすることができないので確実な真空引き作業ができるものである。
【００１１】
【実施例】
以下この発明の一実施例を図面をもとに説明すれば、１は空気調和機の室内機で室内の壁等に設置され、内部にフィンチューブ式の室内熱交換器２とクロスフロー式の室内ファン３とこの室内ファン３を回転する室内モータ４とこの室内モータ４や表示ランプ５、ワイヤレスリモコン６の受信装置７等に接続され室内機１の運転制御を行う室内制御装置８を備え、室内空気を吸込み熱交換して室内に戻す事によって室内空気の温度調節を行うものである。
【００１２】
９は屋外に設置され前記室内機１と壁等を貫通して連絡配管１０と連絡電線１１によって接続される室外機で、内部には圧縮機１２と冷凍回路の切替をする四方弁１３とフィンチューブ式の室外熱交換器１４とキャピラリーチューブ等の減圧装置１５と冷媒加熱装置１６等を備え、前記圧縮機１２と四方弁１３と室外熱交換器１４と減圧装置１５と前記室内熱交換器２を順次冷媒配管にて連通し冷凍回路を形成し、前記室外熱交換器１４と減圧装置１５に並列に前記冷媒加熱装置１６と二方弁１７を備えたバイパス回路１８を形成している。
【００１３】
前記表示ランプ５は運転中に点灯する運転ランプ１９と点灯や点滅によって燃油切れを表示する給油ランプ２０とタイマー運転中に点灯するタイマーランプ２１等を備え、それぞれの状態を視覚的に使用者に知らしめるものである。
【００１４】
前記ワイヤレスリモコン６は１回目の押圧で運転を開始し２回目の押圧で停止動作にはいる運転スイッチ２２と２つのボタンで上昇と下降ができる温度・時間設定スイッチ２３と冷房・暖房・除湿運転等の運転コースを選択するコース選択スイッチ２４と前記温度・時間設定スイッチ２３で設定された時間後に空気調和機の停止や運転をすることができるタイマースイッチ２５を備えている。
【００１５】
前記四方弁１３はＯＮ時の冷房運転とＯＦＦ時の暖房運転の冷凍回路を切替えるためのものであり、冷房時から暖房に切替えると、前記二方弁１７が閉じられていたものが開放されると共に前記四方弁１３が切替えられ前記室外熱交換器１４と減圧装置１５の間に備えた逆止弁２６の作用で室外熱交換器１４には冷媒が行かずに前記バイパス回路１８の方に冷媒が迂回し、このバイパス回路１８に設けた冷媒加熱装置１６によって冷媒が灯油の燃焼によって加熱され、不足がちの暖房能力を充分に確保する事ができるものである。
【００１６】
前記冷媒加熱装置１６は内部にバイパス回路１８の冷媒が通過する加熱用熱交換器２７と燃焼室２８とバーナ２９と燃焼ファン３０を備え、暖房運転時に前記バーナ２９の燃焼で加熱用熱交換器２７内の冷媒を加熱し、室内機１に高温の冷媒を送るものである。
前記バーナ２９はアルミダイキャストで形成されるバーナ本体２９ａとステンレス材で作られた炎を吹き出すバーナヘッド２９ｂ等を備え、燃焼中はバーナ本体２９ａで約２５０〜３００℃程の温度が維持されるものである。
【００１７】
３１は空気調和機とは別に設けた灯油タンク（図示せず）に貯蔵された灯油をを汲み上ポンプ３２によって汲み上げ、一旦冷媒加熱装置１６内に貯えるレベラータンクで、灯油の油面を一定に保つためのフロートスイッチ３３とレベラータンク３１内の灯油を前記バーナ２９に供給する電磁ポンプ３４を備えている。
３５は前記バーナ２９内に備えたヒータで点火時にはバーナ２９を加熱して燃料の灯油を気化させるために使用し、通常燃焼時にはバーナ２９の温度制御に使用するものである。
３６はバーナ２９の温度を検知する温度センサで、サーミスタセンサ等によってバーナ本体２９ａ表面の温度を検知してその温度に応じて信号を発するものである。
３７は先端から火花を発生し前記バーナ２９点火を行う電極。３８はバーナ２９の燃焼状態を監視するフレームロッドである。
【００１８】
３９は内部に前記圧縮機１２の回転制御を行うインバータ装置（図示せず）等を備え前記室外機９全体の制御を行う室外制御装置で、前記室内機１の室内制御装置８と連絡電線１１で接続されこの室内制御装置８との間に信号の授受を行うと共に前記連絡電線１１を通じて室内制御装置８から室外制御装置３９へ給電される。
４０は前記室外機９内に設けた７セグメントの表示装置で、室外機９側が原因で発生したエラーの表示をコードナンバー等によって行ったり、各種のモードを表示するものである。
４１はモードスイッチで連続押圧によって次のモードに移行し、それに伴い前記表示装置４０の表示も変わるものである。
【００１９】
４２は切替スイッチで前記テストモードグループ内の表示の切替を行うものである。
４３は可変抵抗式の標高調整ボリュームで該ボリュームの回転により通常状態の前記表示装置４０の値が変化することで、使用する現在標高にセットすることで、前記燃焼ファン３０の基準回転数を変化させ、山岳地帯等の高地においても前記バーナ２９が正常に燃焼するように調整するものである。
４４は前記電磁ポンプ３４の流量を調整する可変抵抗式の流量調整ボリュームで、前記バーナ２９の調整等で使用するものである。
【００２０】
４５は前記室内機１の吸込口（図示せず）等に設けられ吸い込まれた室内空気の温度を計測する室内温度センサ。４６は前記室内熱交換器２の温度を測定する室内熱交センサ。
４７は前記室外機９内で四方弁１３と室内熱交換器２の間の冷媒配管に取り付けられ冷媒の温度を測定する吐出温センサ。
４８は前記バイパス回路１８の冷媒加熱装置１６よりも下流の冷媒配管に設けた加熱温センサ。
【００２１】
４９は前記室外機９の吸込口（図示せず）に設けられた外気温センサで、屋外の温度を計測するものである。
５０はプロペラ式の室外ファンで室外モータ５１によって回転され、前記室外熱交換器１４に送風するものである。
５２は感震装置で地震等の振動を検知し、一定以上の振動が発生した場合に前記室外制御装置３９に信号を送るものである。
【００２２】
５３は前記圧縮機１２の安全装置で圧縮機１２が過負荷により高温なったり、過電流が流れたりして内部の巻き線が破壊される事を防止するものである。
５４は前記燃焼室２８の外壁に取り付けられた安全サーモで、バイメタル式のスイッチから成り約１２０℃にてＯＦＦし約１００℃で自動復帰（ＯＮ）するものである。
５５は前記室内熱交換器２と四方弁１３の間に設けられたサービスポートで、冷凍回路内の真空引きや冷媒の注入を行うものである。
５６は前記室内制御装置８に電源を供給する電源コード。
【００２３】
作動について説明すれば、冷房運転時は二方弁１７が閉じられているために通常の空気調和機と同じように図１の実線矢印で示した方向に冷媒が循環し室外熱交換器１４は高温に、室内熱交換器２は低温になり室内の冷房を行うものである。
また暖房運転時は二方弁１７が開放され破線矢印で示した方向に冷媒が循環し、バイパス回路１８の冷媒加熱装置１６で冷媒が加熱された熱によって室内熱交換器２が高温になり室内の暖房を行うものであり、冷媒加熱装置１６による灯油の燃焼熱を熱源としているので外気温が氷点下になるような寒冷地でも充分な熱量が確保できるものである。
【００２４】
次に図４のフローチャートにそってテストモードと表示装置４０の表示について説明すれば、何もスイッチ操作を行わない状態では７セグメントの表示装置４０は第１テストモードにあり「０」を表示している、この時標高調整ボリューム４３を回転すれば表示は「０」から「５」まで変化し、数字「１」当たり２００ｍの標高を調整するものである。（Ｓ１）
【００２５】
次にモードスイッチ４１を５秒以上押し続けると（Ｓ２）第１テストモードから第２テストモードであるバーナ関係モード（Ｓ３）に移行し、表示装置４０は「Ｐ」と「４」を１秒間ずつ交互に点灯を繰り返す（以後このような表示形態を「Ｐ４」と表現する）、この時流量調整ボリューム４４を右回りに回転すれば「Ｐ５」「Ｐ６」と数字が「Ｐ９」まで大きくなり、反対に流量調整ボリューム４４を左回りに回転すれば数字は「Ｐ０」まで小さくなり、数字が１変化する毎に電磁ポンプ３４の基準の流量が「Ｐ４」を中心として約１％ずつ増減する。（Ｓ７）
【００２６】
次に切替スイッチ４２を押圧すれば（Ｓ８）表示装置４０はバーナ２９の燃焼状態をフレームロッド３８にて検知した電圧を、「Ｆ０」から「Ｆ５」の範囲で表示する（Ｓ９）、これはマイコンの入力値で０から４．８ミリボルトの間を適宜分割して表示している。
次にもう一度切替スイッチ４２を押圧すれば（Ｓ１０）表示装置４０はバーナ２９に備えた温度センサ３６の温度を、「Ｌ０」から「Ｌ９」の範囲で表示する（Ｓ１１）、これは「Ｌ０」で１２０℃以下「Ｌ９」で３００℃以上を現し、「Ｌ１」から「Ｌ８」で中間の温度を適宜分割している。
【００２７】
次に再度切替スイッチ４２を押圧すればＳ７の電磁ポンプ流量補正に戻り、切替スイッチ４２を押し続ける限りＳ６からＳ１２を繰り返すものである。
このような第２テストモードであるバーナ関係モード（Ｓ３）の表示から今度はモードスイッチ４１を５秒間以上１５秒間未満押し続けた場合には（Ｓ４）、表示装置４０は第１テストモードである標高調整表示（Ｓ１）に戻り、モードスイッチ４１を１５秒間以上押し続けた場合には（Ｓ５）、表示装置４０は第２テストモードである「ＪＯ」のサービスモード表示に切り替わると共に真空引き作業が可能なように四方弁１３と二方弁１７をＯＮする、真空引き作業は空気調和機の移設や冷凍回路中の漏れ修理及び部品交換等大がかりな修理等の作業後に行われるものなので、誤ったスイッチ操作等でこのサービスモードが真空引き作業中に簡単にキャンセルされ、真空引き作業をもう１度最初から行うような事がないように、一度このサービスモードに入った場合は空気調和機の電源コード５６を抜かない限りこのサービスモードを継続するものである。
【００２８】
このように最小限の表示装置４０とモードスイッチ４１と切替スイッチ４２の２個をスイッチの押圧時間の変化によって有効に使用して多くの表示を行うことができ、かつ製造コストも低く抑えることができるものである。
また第３テストモードをサービスモードにして表示することで該サービスモードを視覚でも確認でき便利なものである。
また一度サービスモードに入った後は電源コードの抜き差し以外にサービスモードをキャンセルすることができないので確実な真空引き作業ができるものである。
【００２９】
【発明の効果】
以上のようにこの発明によれば、最小限の表示装置とモードスイッチと切替スイッチの２個をスイッチの押圧時間の変化によって有効に使用して多くの表示を行うことができ、かつ製造コストも低く抑えることができるものである。
また第３テストモードをサービスモードにして表示することで該サービスモードを視覚でも確認でき便利なものである。
【図面の簡単な説明】
【図１】この発明一実施例の冷凍回路の説明図。
【図２】同冷媒加熱装置の説明図。
【図３】同制御装置の系統図。
【図４】同要部のフローチャート図。
【符号の説明】
１  室内機
９  室外機
４０  表示装置
４１  モードスイッチ
４２  切替スイッチ
【図１】
0003790069.tif 000002
【図２】
0003790069.tif 000003
【図３】
0003790069.tif 000004
【図４】
0003790069.tif 000005